(57)【要約】【課題】  家庭内に於いて仏行事の場合等仏間の両開きの襖が釣元の柱に蝶番にて取り付けて在るのが常用されており襖を開いた際に前面に飛出した形にて開放的で固定性が無くて仏事の際等は特に支障が目立つのを解消する目的の仏間の両開き襖及び収納金物の提供。【解決手段】  仏間の前面襖が両開きの場合には柱釣元に蝶番を利用しなくて釣元立桟の上部並びに下部に回転式の丸ホソを設けて襖を90度立直回転させて三面コの字型のカラーアルミガイドレール並びに付属金物であるスプリング板及び弱性磁石を入れ込んだカラースチール板を框と襖とり間に取付けて襖を閉じた際のストップキャッチ及び回転丸ホソの軸受けとして両側壁面に沿って襖を収納して襖を開いた際の仏間前面より支障的な襖の存在を解消する。【選択図】  図１
2008121416.tif 000002
【特許請求の範囲】
【請求項１】
仏間の前面に襖６を建て付ける場合に両面柱１の釣元の立桟６cの上部の先端6ｇと下部の先端6fを回転軸として90度立直回転してガイドレール７を利用して仏間の両壁面に収納する襖で引き手金物17及び18の飾り房を収納の際に障害にならないように中央立桟6bに近い場所で襖の高さの中程の部位に彫り込んで収める仏間表面建具の両開き襖及び収納金物。
【請求項２】
ガイドレール及び其のガイドレールに襖を収納する際に襖の下桟が框の上端に接して疵を付けない様にスプリング式の曲板金11を利用する取り付け構造を有する請求項１に記載の仏間表面建具の両開き襖及び収納金物。
【請求項３】
襖を仏間の前面に閉じた際に固定するため下部の框の上端に取付ける金物９及び上部の鴨居の下端に取付けるストップのための金具15及びキャッチのための金具の取付け構造を有する請求項１に記載の仏間表面建具の両開き襖及び収納金物。
【発明の詳細な説明】
【技術分野】
【０００１】
本考案は一般家庭内の仏事の場合等に仏間襖を開いた際に蝶番取付けの場合は開いた際に襖が固定しないのと柱の全面に飛び出した際の支障を解消する目的の襖収納に関する。
【背景技術】
【０００２】
一般家庭内に於いて仏間の間口の幅を決める際に仏壇の幅を参考基準にするためにあまり広くは設けず襖が蝶番にて両柱を釣元に取付けられた場合が殆どで固定感が無くて開いた際に前面に出た分だけ仏行事の際等には特に邪魔で支障を来たしていたので解消するのが望まれていた。
【０００３】
両開きドアー等大掛かりな建具類の両壁収納方式は開いた際に建具が前面に傾くのを防ぐために開閉式の収縮襷リンク等を利用するドアーは見受けられるが仏間襖には利用はされずガイドレールのみにて処理をしたり框に接疵を防ぐために金具を利用する一般家庭用佛間の襖の必要性。
【特許文献１】特開２０００−１７９３８号公報
【特許文献２】特開２００６−２８９６０号公報
【発明の開示】
【発明が解決しようとする課題】
【０００４】
各家庭内に於いての佛間の襖は出入り口の建具や押入れの建具等と異なり仏壇を基準に仏間を拵えるために簡単な両開き等の襖戸が多く仏行事や日毎の礼拝時にもあまり気にしなくて開閉が行はれて居たけれどもそれでは開いた時点にて開放的に任されて居たのが現状で在り特に仏行事の際等には固定をして開放の安定性と前面突出支障解消が望まれて居た。
【課題を解決するための手段】
【０００５】
在来習慣的に用いられている仏間襖の両開きの場合に両柱に取付けられている蝶番方式でなく襖の釣元の立桟符号6cの上部丸ホソ符号6gを上桟よりも20mm上に延し下部丸ホソ符号6fを下桟よりも下に12mm延して回転式の丸ホソを設定し回転軸とする。
【０００６】
上記に記載の釣元立桟の上下の回転軸ホソを利用して90度立直に開いた襖を上部と下部の三面コの字型のカラーアルミ製厚2mmのガイドレール符号７及び符号８に沿わせて奥に入れ込み収納する。其のために釣元立桟は磨耗をしない様に堅木を使用する。
【０００７】
其の際に襖の下桟の下端が框を接疵させない様に框上端と襖下桟の間に弱性磁石入りのカラースチール板符号９の前面見得掛かり厚12mm出幅10mmを挟み敷く、尚其の金物が襖の建付けに必要なためクロス平頭ネジ釘にて取付けて脱着可能とする。
【０００８】
上記0007のカラースチールの襖の内側に位置するところに符号9bの7〜8mm高の段畦を付けて襖を閉じる際や閉じた後にて襖が内部に入り込ない様にする。
【０００９】
下桟の内側下部分にも符号6ｈの厚２ｍｍの弱性磁石入りのカラースチール板を取付けて襖を閉じた場合のストップキャッチとする。
【００１０】
上部の鴨居下端にも符号15のＬ型の厚4.5mmの弱性磁石入りの見え掛かりの高さ15mmのカラースチール板を取り付けて襖の上部横桟の内部側にも符号6iの厚２mmの弱性磁石入りのカラースチール板を取付けて閉じた際のストップキャッチとし襖を閉じた際に内部に入り込まない目的の畦にする。
【００１１】
襖を収納する際に符号７の下部ガイドレールの前面位置に襖を入れ込む際に襖手前を持ち上げるための符号11の厚さ4.5mmのスプリング板を敷いて框の接疵を防止する。但し襖を閉じた際は符号10を符号6cの下にて収める。
【００１２】
襖をガイドレールに入れ込む際に符号17の前面の摘み金物や符号18の飾り房が支障の無いように襖の厚みだけ符号16に彫り込む。
【００１３】
0007に記載のカラースチール板の両端の部分は回転丸ホソ符号6fの軸受けとして利用する。
【発明の効果】
【００１４】
一般の家庭的に行はれる仏行事の場合等に仏間の両開き襖を開いた時点の開放的で不安定で支障的な邪魔を仏間の前面より無くし仏行事等がスムーズに行はれるための目的の仏間の襖及び金物。
【発明を実施するための最良の形態】
【００１５】
本考案の実施例について図面を参照しながら説明する。仏間襖２枚両開きの場合の例、但し各部の詳細寸法記入は説明上の目途として記入説明をする。
【実施例】
【００１６】
図１は一般的に家庭に設けられている半間角、約90cm角程度の仏間の平面図の例で２枚建て両開き襖の場合に符号１と２の柱の釣元の建て桟の上部と下部に回転丸ホソを設けて双方前方に90度回転開して双方の壁沿いにガイドレールを介して襖を収納する目的の平面見取り説明図。符号１及び２は仏間の前面柱、符号1b及び2bは奥の柱、符号３は仏間の下框、符号3bは仏間、符号5・5b・5cは仏間の三面壁、符号６は両開き襖、符号6bは襖中央立桟、符号6cは釣元立桟、符号７は下部ガイドレールの例、符号7bは収納した際の留め金、符号８は上部ガイドレールの例、符号8bは収納した際の留め金。
【００１７】
図２は図１の仏間平面図の前面部分を拡大した説明図。
【００１８】
図３は仏間の前面襖の２枚建て両開きの場合の正面姿図。符号４は仏間の鴨居で畳みより内法180cmの例、6dは襖の下桟、6eは襖の上桟、符号９は框と襖との間に挟むカラースチール板、符号16は後記図面12の摘み引き手と飾り垂れ房を両壁沿いに収納する際に支障の無いように襖の厚みの分彫り入れる場所。
【００１９】
図４は仏間の壁面5を見た奥行き断面図。符号6は襖の断面図、符号7cは下部回転ホソのガイドレールを奥の柱に取付けるビス釘、符号8cは上部ガイドレールを奥の柱に取付けるビス釘、3cは仏間の床上端、3dは仏間の床下。
【００２０】
図５は向かって左壁に沿って符号５の壁面に襖を収納した際の状況図。符号6`は襖の裏面、符号19は襖を収納した際に前面に引き出すための襖の裏面に設けた彫り込み引き手。
【００２１】
図６は襖を収納する際に釣元回転丸ホソ部分の状況を拡大した平面説明図。符号１は襖の釣元部分の柱面、符号３は仏壇框。符号６は襖、符号6fは釣元立桟の下部回転丸ホソ、符号７は下部ガイドレール、符号９は框と襖との間に挟み敷く弱性磁石入りの厚12mmのカラースチール金物を襖よりも前面に10mm程出した部分、符号9bは符号９の金物を襖厚みの内側より8〜10mm程出して高さも7〜8mm程高くして襖を閉じた際の留め金の畦とする部分の金物。
【００２２】
図７は襖の左柱釣元位置の下部の状況説明図。符号１は襖釣元柱・符号３は仏間框・符号6dは襖下桟・符号6fは襖釣元立桟下部回転丸ホソ・符号９及び9bは弱性磁石入りカラースチールの取付け状況断面・符号７は釣元下部回転ホソ符号6fを90度回転収納する際のガイドレール・符号10は襖を壁付きに収納する際にホソ6fを天秤に襖が手前に回転作用をして符号３の框や符号９の金物に接疵しない様に襖下桟を持ち上げるスプリング板が襖を閉じた時点の符号6f下の収まり図、符号11の点線部分は収納する際に符号10のスプリング板が襖下桟を持ち上げる際の状況図、符号12は符号10のスプリング板を留めるクロス平頭付きのボルト。
【００２３】
図８は図７の横転拡大図。符号13はガイドレール符号７の底面部、符号14は符号10のスプリング板を取付け収めるために板の厚みの分符号13の底板を下げる底板部分。
【００２４】
図９は襖を向かって左壁沿いのガイドレールに収納した際の断面図。
【００２５】
図10は襖を閉じた時点の下部の断面説明図。符号３は仏間框、符号９の弱性磁石入りカラースチールは見得掛かり厚12mm前面出幅10mm及び符号9bは内面に出幅8〜10mm高さ18mm程度とし襖を建て付けする際に脱着の必要性が有るためにクロス平頭ネジ釘にて留める、符号6hは襖を閉じた際にキャッチのため襖下桟の下部内面に弱性磁石入り厚み2mmのカラースチールを取付ける図。
【００２６】
図11は襖を閉じた時点の上部の断面説明図。符号４は仏間鴨居、符号6eは襖の上桟、符号15は襖を閉じた際のストッパー及び襖を壁付きに収納した際に内面に倒れ無い様にする目的のために弱性磁石入りのＬ型カラースチール厚み4.5mm高サ15mm幅20mm程度を上鴨居にネジ釘にて取付ける、符号6iは6hと同じく襖を閉じた際のストッパーのために弱性磁石入りの厚2mm程のカラースチールを上桟上部の内面に取付ける図。
【００２７】
図12は襖の符号16に入れる摘み引き手金具と飾り下がり房の状況図。符号17は摘み引き手、符号18は飾り垂れ房で襖の見込み厚さの中にて収める。
【図面の簡単な説明】
【００２８】
【図１】は仏間の平面見取り図で符号７は下部・符号8は上部のガイドレールを示す。
【図２】は上記図１の前面部分の拡大図。
【図３】は仏間前面襖の正面姿図で柱間90cm鴨居高さ内法180cmの例。
【図４】は仏間奥行き断面図で高さと幅のサイスは上記図３と同じ。
【図５】は上記図４の左壁面に襖を収納した際の状況図で6`は襖裏面。
【図６】は左柱釣元下部の回転ホソ状況の平面説明図。
【図７】は襖釣元下部の状況断面説明図。
【図８】は上記図７の横転拡大詳細説明図。
【図９】は向かって左側壁面に襖を収納したさいの状況断面説明図。
【図１０】は襖を閉じた際の下部框上の説明断面図。
【図１１】は襖を閉じた際の上部鴨居下の説明断面図。
【図１２】は摘み引き手と飾り垂れ房の状況正面姿図。
【符号の説明】
【００２９】
１：前面向かって左柱12cm角の例
１b：前面より向かって左奥の柱
２：前面より向かって右柱
２b：前面より向かって右奥の柱
３：仏間の前框・高サ15cm幅12cmの例
３ｂ：仏間の柱の間口芯芯90cm奥行き90cmの例
３ｃ：仏間の床上端
３ｄ：仏間の床下
４：畳より内法180cmの仏間の鴨居・高さ50cm幅12cmの例
５：向かって左側の壁
５ｂ：奥の壁
５ｃ：向かって右側の壁
６：両開きの場合の襖
６`：上記６の裏面
６ｂ：上記６の両開襖の中央立桟
６ｃ：襖の釣元立桟、回転ホソの磨耗を防ぐため堅木使用
６ｄ：襖の下部横桟
６ｅ：襖の上部横桟
６ｆ：襖の釣元立桟の下部回転ホソ、長さ12mm
６ｇ：襖の釣元立桟の上部回転ホソ、長さ20mm
６ｈ：襖の下部横桟の内側下部に取付ける閉じた際のキャッチ金板
６ｉ：襖の上部横桟の内側上部に取付ける閉じた際のキャッチ金板
７：  襖を90度開いて収納する際の下部ガイドレール
７ｂ：襖を収納する際の下部奥のＬ型留め金
７ｃ：前記７のガイドレールを奥の柱に取付けるビス釘
８：  襖を90度開いて収納する際の上部ガイドレール
８ｂ：襖を収納する際の上部奥のＬ型留め金
８ｃ：前記８のガイドレールを奥の柱に取付けるビス釘
９：  框の上端に襖受として敷く厚み12mmの弱性磁石入りのカラースチール
９ｂ：襖を閉じた際の留めとキャッチのための上記９の裏面畦部分
10：  襖を閉じた際のスプリング板で釣元立桟の下部ホソ下に納めた図
11：  上記10のスプリング板が襖を収納する際に下横桟を持ち上げる状況図
12：上記10のスプリング板を取付けるクロス平頭のボルト
13：下部ガイドレール７の底板部分
14：上記13のレール底部を上記10のスプリング板を収めるために板の厚みの分下げる底板部分
15：襖の上部内側鴨居下端に襖を閉じた際の留めとキャッチ目的のＬ型金物
16：襖前面の引き手金具と飾り垂れ房を取付けるために彫り込む部分
17：上記16に取付ける摘み式引手金具
18：上記17と同時に上記16に取付ける飾り垂れ下げ房
19：壁面に収納した襖を前面に引出す際の襖の裏面に彫り込む引き手部分
【図１】
2008121416.tif 000003
【図２】
2008121416.tif 000004
【図３】
2008121416.tif 000005
【図４】
2008121416.tif 000006
【図５】
2008121416.tif 000007
【図６】
2008121416.tif 000008
【図７】
2008121416.tif 000009
【図８】
2008121416.tif 000010
【図９】
2008121416.tif 000011
【図１０】
2008121416.tif 000012
【図１１】
2008121416.tif 000013
【図１２】
2008121416.tif 000014